(57)【要約】 【課題】天井装着型の照明装置において、発光部間の補助反射手段の機能を切り換えることにより照明装置の配光特性を調節可能な構造を提供する。【解決手段】天井面に配置される照明装置１００において、天井面に対して傾斜して配置された複数個のＬＥＤ２０１を実装した光源基板２０２、および該基板を覆う拡散部材１００５とで構成された発光部を両側に有する本体筐体１０００と、これら発光部の間に配置される曲面により構成された中央補助反射板３０１と、中央補助反射板３０１を天井面に対して凸面を向けるよう、または天井面に対して凹面を向けるよう異なる姿勢で装着する装着構造を有する。【選択図】図１
2014160559.tif 000002
【特許請求の範囲】
【請求項１】
天井面に配置される照明装置において、
天井面に対して傾斜して配置された複数個の光源素子を実装した光源基板と、該光源基板を覆う拡散部材から構成された発光部を両側に有する本体筐体と、
前記発光部の間に配置される曲面により構成された補助反射手段と、
前記補助反射手段を天井面に対して凸面を向けるよう、または天井面に対して凹面を向けるよう異なる姿勢で装着する装着構造を有することを特徴とする照明装置。
【請求項２】
請求項１に記載の照明装置において、前記光源素子がＬＥＤにより構成されることを特徴とする照明装置。
【請求項３】
請求項１または２に記載の照明装置において、前記発光部の中間において前記補助反射手段が装着される高さを調節する手段を有し、前記補助反射手段が装着される高さによって前記発光部の中間部の発光量が調整されることを特徴とする照明装置。
【請求項４】
請求項１〜３のいずれか１項に記載の照明装置において、前記補助反射手段の表裏の凹面および凸面が相互に異なる色を有し、前記補助反射手段の露出する面の色によって前記発光部の中間部の発光量が調整されることを特徴とする照明装置。
【発明の詳細な説明】
【技術分野】
【０００１】
本発明は照明装置、特に天井面に取り付けるベースライト形式の照明装置に関するものである。
【背景技術】
【０００２】
近年、低消費電力で寿命が長いＬＥＤ照明が注目されており、ＬＥＤ光源の発光輝度の向上も相俟って、ＬＥＤ光源を用いた照明装置が種々開発されている。特許文献１では複数個のＬＥＤを有する発光部、反射板、および拡散板などからなる照明装置が開示されている。特許文献１のルーバーは拡散板の面に対して鈍角に傾いて配置され、山の形のようになることで発光部からの光を反射するので、設置後に下から見上げても暗い部分のない照明装置となる。このような工夫は古くからあり、特許文献２ではＶ字状の補助反射板がそのような役割をすると同時に、つまみねじを隠ぺいする構成となっている。
【０００３】
上述のような構造は、光源がＬＥＤ以外の光源、たとえば冷陰極蛍光管（ＣＣＦＬ）などであっても利用できるものと考えられる。
【先行技術文献】
【特許文献】
【０００４】
【特許文献１】特開２０１２−１０４４８５号公報
【特許文献２】実公昭６３−１８７２１３号公報
【発明の概要】
【発明が解決しようとする課題】
【０００５】
特許文献２の発光部の間に設けられた補助反射板のような補助反射手段を除去すると発光部と発光部の間に影ができ、照明照度は下がるものの、この影を利用することで特徴のある照明装置を実現することができる。補助反射手段を設けた照明装置と補助反射手段の無い照明装置の双方を製品としてラインアップすることも一考であるが、同一の照明装置で発光部間の補助反射手段の機能を切り換え、たとえば照明デザイン重視、照明照度重視、などといった異なる需要に簡単に対応できるような照明装置があれば好ましい。
【０００６】
本発明の課題は上記に鑑み、複数条の発光部を有するベースライトタイプの照明装置において、発光部間の補助反射手段の機能を切り換えることにより照明装置の配光特性を調節可能な構造を提供することにある。
【課題を解決するための手段】
【０００７】
上記課題を解決するため、本発明においては、天井面に配置される照明装置において、天井面に対して傾斜して配置された複数個の光源素子を実装した光源基板と、該光源基板を覆う拡散部材から構成された発光部を両側に有する本体筐体と、前記発光部の間に配置される曲面により構成された補助反射手段と、前記補助反射手段を天井面に対して凸面を向けるよう、または天井面に対して凹面を向けるよう異なる姿勢で装着する装着構造を有する構成を採用した。
【０００８】
あるいはさらに、前記光源素子がＬＥＤにより構成される構成を採用した。
【０００９】
あるいはさらに、前記発光部の中間において前記補助反射手段が装着される高さを調節する手段を有し、前記補助反射手段が装着される高さによって前記発光部の中間部の発光量が調整される構成を採用した。
【００１０】
あるいはさらに、前記補助反射手段の表裏の凹面および凸面が相互に異なる色を有し、前記補助反射手段の露出する面の色によって前記発光部の中間部の発光量が調整される構成を採用した。
【発明の効果】
【００１１】
上記構成によれば、装着姿勢を切り換えて補助反射手段を装着するだけで極めて容易に異なる照明装置に配光特性を付与することができ、たとえばデザイン的に影を活かしたい場合は中央反射部材が天井面に対して凸になるようにし、照度を優先してなるべく影をなくすようにしたい場合は補助反射手段が天井面に対して凹になるよう、需要に応じて中央反射部材の向きが変更可能な照明装置を実現できる、という優れた効果がある。
【００１２】
特に、光源素子としては、低消費電力で高輝度なＬＥＤを用いることができ、また、前記発光部の中間において前記補助反射手段が装着される高さを調節する手段、ないしは、前記装着構造によって表裏を返して装着される前記補助反射手段の表裏の凹面および凸面が相互に異なる色を有する構成によって、前記発光部の中間部の発光量を調整することもできる。
【図面の簡単な説明】
【００１３】
【図１】本発明を採用した照明装置の断面図である。
【図２】本発明を採用した照明装置の異なる組み立て状態を示した断面図である。
【図３】本発明を採用した照明装置の斜視図である。
【図４】本発明を採用した照明装置の異なる組み立て状態を示した斜視図である。
【図５】本発明を採用した照明装置の下面図である。
【図６】本発明を採用した照明装置の異なる組み立て状態における下面図である。
【発明を実施するための形態】
【００１４】
以下、本発明を実施するための形態につき、図面に示すベースライトタイプの照明装置の実施例を参照して詳細に説明する。
【実施例】
【００１５】
図１〜図４は本発明を採用した照明装置の好適な一実施例を示したもので、図３および図４は照明装置１００の外観を斜め下方から示した斜視図、図１および図２は照明装置１００の断面構造を示した断面図である。
【００１６】
図３、図４において、照明装置１００は旧来の直管蛍光灯を２本用いたベースライトタイプの照明装置に類似の長方形の外形（たとえば全長は１ｍ前後とする）を有し、本体筐体１０００は左右２条の拡散部材１００５、１００５を有し、この拡散部材１００５、１００５の内側に光源として後述のＬＥＤ（２０１、２０１）を搭載したＬＥＤ基板（２０２、２０２）が収容される。
【００１７】
拡散部材１００５、１００５の照明装置１００の下面に露出する主要部分は、たとえば図示のように（凸の）円筒面形状であって、乳白色アクリルなどの光拡散特性を有する材料から構成される。拡散部材１００５、１００５の断面形状については、後述の図１および図２により詳述する。
【００１８】
本体筐体１０００の両端部は、後述の本体筐体１０００の断面形状にほぼ相当する形状を有する端部プレート１００９（片方のみ図示）によって塞がれている。この照明装置１００両端の端部プレート１００９（、１００９）の内面には、後述する本体筐体１０００の壁面１００３や、内壁面１００４、あるいはさらに拡散部材１００５、１００５の端部を支持し、定位置に位置決め固定するための溝などを形成することができる。
【００１９】
図３、図４において、それぞれ左右の発光部を構成する拡散部材１００５、１００５の中間部位には、中央補助反射板３０１が両端の止めネジ４０１、４０１によって固定されている。
【００２０】
中央補助反射板３０１は、金属板や樹脂などの不透明材料から円筒面形状に構成され、その表裏両面には白色塗装が施される。
【００２１】
本実施例の照明装置１００の特徴の１つは、この中央補助反射板３０１（補助反射手段）を止めネジ４０１、４０１を介して図３のように天井面（図の上方）に対して凸面を向けるよう、ないしは図４のように天井面（図の上方）に対して凹面を向けるよう装着できる装着構造にある。
【００２２】
また、本実施例におけるこの中央補助反射板３０１（補助反射手段）の装着構造は、中央補助反射板３０１（補助反射手段）を装着する高さによって、左右の発光部を構成する拡散部材１００５、１００５の特に中央内側の部位の露出態様を調節することができ、これにより照明装置１００下面中央部における発光量を調節するものとも言え、この点にも本実施例の特徴がある。
【００２３】
なお、拡散部材１００５、１００５の左右側面には、溝１００５ｃ、１００５ｃが形成されているが、これらの溝１００５ｃ、１００５ｃは意匠上の目的で、あるいは不図示のアングル材やレール材で天井面に照明装置１００を装着する際に利用できるよう形成されたものである。
【００２４】
図１および図２は、それぞれ図３および図４に対応し、照明装置１００を異なる組み立て状態で示した斜視図である。
【００２５】
図１および図２に示すように本体筐体１０００は、たとえば金属ないし樹脂材料から成る左右の部分筐体１００１、１００１に分割された構成とすることができる。このような構成により、部分筐体１００１、１００１をプレスや注型などの手法により製造するのが容易となる。
【００２６】
部分筐体１００１、１００１は、互いに左右対称な形状で、中央補助反射板３０１の装着部位上部の空間を画成するとともに下端部において拡散部材１００５、１００５の段差１００５ａ、１００５ａと接する内壁面１００４、１００４と、ＬＥＤ２０１、２０１を搭載したＬＥＤ基板２０２、２０２を支持すべく器具の左右の斜め下方を向くように傾斜配置された壁面１００３、１００３の部位をそれぞれ有する。
【００２７】
内壁面１００４、１００４および壁面１００３、１００３の部分は、上記の端部プレート１００９、１００９内面の溝などによって位置決めされる他、左右の部分筐体１００１、１００１に対しては溶接やビス止め（不図示）によって固着することもできる。
【００２８】
左右の拡散部材１００５、１００５は、図１または図２に示すような符号１００５ａ、１００５ｂ、さらに符号１００５ｃ（前述の溝部分）などで示すような屈曲部を持ち、全体として互いに左右対称な「Ω」字型の断面形状を有し、乳白色アクリルなどの光拡散特性を有する材料から構成される。
【００２９】
拡散部材１００５、１００５は、中央補助反射板３０１よりも僅かに広い幅を有する内壁部１００５ｂ、１００５ｂによって、あるいはさらに段差１００５ａ、１００５ａの部分によって、中央補助反射板３０１を位置決めすることができ、中央補助反射板３０１はその表裏を返して、図１または図２のように異なる姿勢で装着することができる。
【００３０】
すなわち、中央補助反射板３０１は、図１のように拡散部材１００５、１００５の内壁部１００５ｂ、１００５ｂを覆って隠すよう、または、図２のように拡散部材１００５、１００５の内壁部１００５ｂ、１００５ｂを露出させるような位置に装着することができる。
【００３１】
なお、上述のような照明装置１００の細部の構造はあくまでも一例であり、本発明の特徴は、複数の左右外側下方（左右斜め下方）を向くよう配置された光源部（２０１、２０２）ないしは拡散部材１００５、１００５から成る発光部を設けること、および、それら複数の発光部の中央に図１または図２のように異なる姿勢で装着可能な曲面形状の中央補助反射板３０１を配置する点にある。したがって、照明装置１００の本体筐体１０００、拡散部材１００５、中央補助反射板３０１などの各構成部材の細部の形状は任意に設計変更可能である。また、光源としても、ＬＥＤ以外に冷陰極蛍光管、その他の任意の光源素子を製品仕様などに応じて用いることができる。
【００３２】
左右の内壁面１００４、１００４で画成された照明装置１００の中央の部位５００には、ＬＥＤ２０１、２０１を点灯させるＡＣ／ＤＣ電源と制御基板などを格納した電源筐体４００が収容される。
【００３３】
左右の拡散部材１００５、１００５は、上記の端部プレート１００９、１００９内面の溝などによって位置決めされる他、ビス止め、係止爪（いずれも不図示）などの構造を用いて、ＬＥＤ２０１、２０１の前方の所定位置に部分筐体１００１、１００１に対して固定することもできる。
【００３４】
さて、本実施例では、中央補助反射板３０１は、上述のように止めネジ４０１（、４０１）を介して、図１のように天井面（図の上方）に凸面を向けて、あるいは図２のように天井面（図の上方）に凹面を向けたいずれかの姿勢で組み付け、固定することができる。
【００３５】
図２、図４の装着状態では、中央補助反射板３０１は拡散部材１００５、１００５の段差１００５ａ、１００５ａの部位に当接するような位置に止めネジ４０１、４０１により固定され、一方、図１、図３の装着状態では、中央補助反射板３０１は左右の拡散部材１００５、１００５とほぼ連続してそれぞれ凹（下面から見て）および凸の曲面を構成するような位置に止めネジ４０１、４０１により固定できる。
【００３６】
なお、中央補助反射板３０１を図１の位置に固定するには、たとえば、止めネジ４０１（、４０１）の首下で中央補助反射板３０１と電源筐体４００の間に中央補助反射板３０１の所望の配置位置に対応する長さのチューブ形状のスペーサ（不図示）などを配置する構造が考えられる。
【００３７】
以上の構成において、左右のＬＥＤ基板２０２、２０２にはＬＥＤ２０１、２０１がそれぞれ直線状に２列実装され、これにより左右２列のＬＥＤ２０１、２０１は天井面に対して角度を持って、それぞれ器具の左右外側の斜め下方を向くよう配置されることになる。
【００３８】
本実施例では、図１および図２に示すように、左右のＬＥＤ基板２０２、２０２は照明装置１００の本体から発光面がやや外側を向くように配置されている。そして、ＬＥＤ基板２０２、２０２は樹脂製の拡散部材１００５、１００５で覆われ、これにより光ムラを抑えた発光を得ることができる。本実施例において、ＬＥＤ基板２０２、２０２を斜めに配置する理由は、主に床面方向（図の下方）だけでなく、天井面（図の上方）ないしは照明装置１００の側方も照らすことで間接照明の効果を得る点にある。
【００３９】
たとえば、ＬＥＤ基板の発光面を真下に向けた構造ではＬＥＤ基板の裏側方向への発光が期待できないため、それまで蛍光灯を使用していた場合と比べて天井面が暗くなってしまうのに対して、本実施例のような構成によれば天井面にも配光することができ、明るさ感が得られる。
【００４０】
そして、図１、図３の装着状態では、中央補助反射板３０１が天井面に対して凸の状態になっており、この状態では、ＬＥＤ２０１、２０１から出射した光は断面がほぼ「Ω」字型の拡散部材１００５、１００５を介して床面方向のみならず天井面も照らすが、中央補助反射板３０１は拡散部材１００５、１００５の内壁部１００５ｂ、１００５ｂをほぼ覆っており、中央補助反射板３０１の表面には構造上光線が届かないため、設置後の発光イメージは図５のようになる。
【００４１】
中央補助反射板３０１はたとえば表裏両面とも白色塗装を施すものとするが、図１、図３の装着状態では点灯すると実際にこのようにあたかも器具の中央に黒いラインが出現（比較的密なハッチングにより図示）するかのような照明になる。中央補助反射板３０１のこのような取り付け状態によれば、デザイン性が優先される用途において、従来の照明装置では得られない照明効果が得られる。
【００４２】
また、中央補助反射板３０１は、図２および図４に示すように、図１、図３の状態から裏返した状態で取り付けることができ、この状態では、中央補助反射板３０１は拡散部材１００５、１００５の段差１００５ａ、１００５ａに当接する位置において止めネジ４０１によって固定される。この図２の状態では、中央補助反射板３０１が天井面に対して凹の状態になっており、この状態は図４の斜視図に相当する。
【００４３】
本実施例では、図２および図４のように図１、図３の状態から中央補助反射板３０１を裏返して装着することにより、異なる配光特性を得ることができる。
【００４４】
図２および図４のような中央補助反射板３０１の装着状態では、左右の拡散部材１００５、１００５の内壁部１００５ｂ、１００５ｂが中央補助反射板３０１の前方に露出しており、拡散部材１００５、１００５から中央補助反射板３０１より直下方の空間に向かっても照明光が出射される。これによって中央補助反射板３０１の下面にも照明光が配光され、中央補助反射板３０１の白色塗装面で反射された光が床面方向にも出射される。
【００４５】
したがって、図２、図４のような中央補助反射板３０１の装着状態で照明装置１００を設置した場合の発光イメージは図６のようになり、中央補助反射板３０１下部に相当する器具中央の部位は、図１、図３の装着状態に比べて明るい（比較的疎なハッチングにより図示）部位が生じる。
【００４６】
本実施例によれば、以上のようにして中央補助反射板３０１の装着状態を図１、図３、図５の状態から図２、図４、図６のような状態に切り換えるだけで、照明装置１００に極めて容易に異なる配光特性を付与することができ、たとえば照明のデザイン性よりも均一な発光イメージが求められる用途に簡単に切り替えることができる。
【００４７】
なお、図２、図４の装着状態において、中央補助反射板３０１を固定する高さを調節することにより、中央補助反射板３０１の発光量を変化させることができる。このために、たとえば前述の中央補助反射板３０１の高さを調節するスペーサに数種類の長さのものを用意し、それらを選択することによって図２、図４の装着姿勢において、中央補助反射板３０１の高さを調節する構造を採用することが考えられる。
【００４８】
また、図２、図４の装着状態においては、中央補助反射板３０１の両側に拡散部材１００５、１００５の内壁面１００５ｂ、１００５ｂが露出することになるが、この内壁面１００５ｂ、１００５ｂの部分に拡散部材１００５、１００５の主要部位（曲面部分）とは異なる光拡散特性（ないしは光透過特性）を与えることにより、照明装置の中央部分の発光量を調節することも考えられる。
【００４９】
また、以上では、中央補助反射板３０１の表裏の塗装は白色である旨説明したが、上記のように中央補助反射板３０１の表裏を返して装着する２つの状態において、異なる色の面が装置下面を向くよう、表裏の塗装色をそれぞれ異なるものとしておく構造も考えられる。たとえば中央補助反射板３０１の凹面を黒色塗装にし、凸面を白色塗装にするような構造である。あるいは黒色か白色かに限定されることはなく、蛍光塗料や光反射性を有する微粒子を含有する塗料であってもよい。このような構造によっても、照明装置の中央部分の配光特性を調節できる可能性がある。
【符号の説明】
【００５０】
１００  照明装置
２０１  ＬＥＤ
２０２  ＬＥＤ基板
３０１  中央補助反射板
４００  電源筐体
１０００  本体筐体
１００１  部分筐体
１００３  壁面
１００４  内壁面
１００５  拡散部材
【図１】
2014160559.tif 000003
【図２】
2014160559.tif 000004
【図３】
2014160559.tif 000005
【図４】
2014160559.tif 000006
【図５】
2014160559.tif 000007
【図６】
2014160559.tif 000008